(57)【特許請求の範囲】
【請求項１】
ストアコンピュータ及び複数のＰＯＳ装置でなるＰＯＳネットワークを接続するＰＯＳネットワーク接続手段と、売り上げデータをプリントするプリンタを接続するプリンタ接続手段と、を有するＰＯＳ装置において、
前記プリンタ接続手段を通じて受け取る印字データのうちジャーナルデータを電子化ジャーナル手段に記憶し、前記電子化ジャーナル手段のジャーナルデータを処理した結果を前記ＰＯＳネットワーク接続手段を通じて前記ストアコンピュータ及び他のＰＯＳ装置に送出するＰＯＳプリンタを備えることを特徴とするＰＯＳ装置。
【請求項２】
前記ＰＯＳプリンタは、
前記プリンタ接続手段と、
前記ＰＯＳネットワーク接続手段と、
キーボード装置及びディスプレイ装置を接続する入出力装置接続手段と、
レシートプリンタを接続するレシートプリンタ接続手段と、
前記プリンタ接続手段を通じて得られるジャーナルデータを外部記憶装置に記憶させる電子ジャーナル装置接続手段と、
前記外部記憶装置のジャーナルデータを前記キーボード装置の入力データに基づいて検索し、検索結果を前記ディスプレイ装置に出力するジャーナルデータ検索手段と、
検索したジャーナルデータを前記キーボード装置の入力操作に基づいて処理し、その処理結果をＰＯＳネットワーク接続手段を通じて前記ストアコンピュータあるいはＰＯＳ装置に渡すジャーナルデータ処理手段と、
を備えることを特徴とする請求項１記載のＰＯＳ装置。
【請求項３】
前記ＰＯＳプリンタは、
レシートプリンタとディスプレイ装置とキーボード装置と外部記憶装置とを備える処理装置であることを特徴とする請求項２記載のＰＯＳ装置。
【請求項４】
前記プリンタ接続手段は、
前記プリンタを接続する通信手順に準拠する接続手段であることを特徴とする請求項１記載のＰＯＳ装置。
【請求項５】
前記ＰＯＳネットワーク接続手段は、
ＰＯＳ装置及びストアコンピュータを接続するＴＣＰ／ＩＰ、あるいはローカルエリアネットワークを接続する通信手順に準拠する接続手段であることを特徴とする請求項１記載のＰＯＳ装置。
【請求項６】
前記外部記憶装置は、
ＰＣカードあるいはディスク記憶装置であることを特徴とする請求項２記載のＰＯＳ装置。
【発明の詳細な説明】
【０００１】
【発明の属する技術分野】
この発明は、ＰＯＳ装置に関し、特に、従来のＰＯＳ装置に処理機能を増強したＰＯＳプリンタを接続してなるＰＯＳ装置に関する。
【０００２】
【従来の技術】
従来、ＰＯＳ装置に、顧客に渡すレシートを印字するレシートプリンタと、店舗控えを印字するジャーナルプリンタと、を備えるタイプがある。しかし、ジャーナルをロール紙に印字することは、扱いや保存に不便である。そこで、ジャーナルを電子化する以下の例がある。
【０００３】
特開平１１−２２４３８０号公報によれば、商品販売データ処理装置からジャーナルプリンタに送られる印字データを記録媒体に書き込む手段をＩ／Ｏポートに接続する発明が説明されている。この発明は、紙ジャーナルを電子記憶媒体に代えただけで、商品販売データ処理装置を高機能化する点では有効ではない。
【０００４】
更に、特開昭６３−２３１５９３号公報によれば、ＰＯＳシステムの売り上げ情報を外部記憶装置に記憶させること、売り上げ情報を表示すること、の発明が説明されている。この発明では、外部記憶装置接続に必要な変更を商品販売データ処理装置に施さなければならない問題と、高機能化を図る処理機能がないことが問題である。
【０００５】
更に、特開２００１−１０５６６５号公報によれば、従来の売り上げ端末において、プリンタ装置への出力信号を変換して、電子化ジャーナル装置への入力信号とする発明を説明している。該発明では、売り上げ端末装置のソフトウェア及びハードウェアには変更を及ぼさずに、プリンタ装置に対する接続インタフェースをそのままに、プリンタ装置の入力信号をジャーナル記憶媒体に対する信号に変換することを電子化ジャーナル装置で行っている。また、電子化ジャーナル装置はメモリ及び中央演算処理装置並びに入出力装置を有しているため、ジャーナルデータを表示する、あるいはコード変換をするなどを可能にしている。
【０００６】
しかし、以上の発明では、処理機能を備える電子化ジャーナル装置を接続したにもかかわらず、その処理機能を活用してジャーナルを見読する、あるいは訂正・加除した結果を売り上げ端末にフィードバックする、あるいは売り上げ端末装置の高機能化に役立てる、ことまでは考えられていない。
【０００７】
【発明が解決しようとする課題】
ＰＯＳシステムは、従来タイプのＰＯＳ装置を用い、多くの店舗で利用されている。これらのＰＯＳ装置に対して、ジャーナルプリンタを電子化ジャーナルに換える、あるいは電子化ジャーナルの利用を高めようとすると、ＰＯＳ装置のハードウェア及びソフトウェアを改修せざるをえない。そこで、店舗で利用中の従来タイプのＰＯＳ装置に改修を加えないで、電子化ジャーナルと高機能化を実現する仕組みを提供することが求められる。
【０００８】
ＰＯＳ装置の高機能化を、電子ジャーナル機能（ジャーナル記録媒体保有）を備えるＰＯＳプリンタで、従来のＰＯＳ装置のプリンタを置き換えることによって実現する。置き換えたＰＯＳプリンタには、従来のＰＯＳ装置のジャーナルプリンタに備えるロール紙の終わり検出機構に対応する記録媒体の制限容量に対するアラーム検出機構を設けて、記憶容量のオーバフローを防止する。
【０００９】
更に、ＰＯＳプリンタの電子ジャーナルをＰＣカードやディスク記憶媒体に記憶させることで、記憶媒体の着脱や交換を容易にし、ＰＯＳプリンタの入出力装置を利用して、電子ジャーナルの見読（検索）を可能にし、電子ジャーナルの紙出力を得ることである。
【００１０】
更に、ＰＯＳプリンタのディスプレイ装置及びキーボード装置の入出力装置接続手段を利用して、ジャーナル記録の訂正・加除を可能にする。
【００１１】
更に、ＰＯＳプリンタのＬＡＮインタフェース及びＴＣＰ／ＩＰインタフェースを利用して、ジャーナル記録の更新情報をストアコンピュータやＰＯＳ装置に通知することである。
【００１２】
この発明の目的は、従来タイプのＰＯＳ装置が有するプリンタの接続手段と、ストアコンピュータや他のＰＯＳ装置に対するＰＯＳネットワーク接続手段と、を利用して、電子化ジャーナル機能、電子化ジャーナルを見読する検索表示機能、あるいは見読対象のジャーナルデータを訂正・加除処理する機能、又はそれの結果をストアコンピュータやＰＯＳ装置に通知する機能を備えるＰＯＳプリンタをＰＯＳ装置に搭載し、従来タイプのＰＯＳ装置の高機能化を実現することにある。
【００１３】
【課題を解決するための手段】
そのため、この発明の、ストアコンピュータ及び複数のＰＯＳ装置でなるＰＯＳネットワークを接続するＰＯＳネットワーク接続手段と、売り上げデータをプリントするプリンタを接続するプリンタ接続手段と、を有するＰＯＳ装置において、前記プリンタ接続手段を通じて受け取る印字データのうちジャーナルデータを電子化ジャーナル手段に記憶し、前記電子化ジャーナル手段のジャーナルデータを処理した結果を前記ＰＯＳネットワーク接続手段を通じて前記ストアコンピュータ及び他のＰＯＳ装置に送出するＰＯＳプリンタを備えることを特徴とする。
【００１４】
更に、前記ＰＯＳプリンタは、前記プリンタ接続手段と、前記ＰＯＳネットワーク接続手段と、キーボード装置及びディスプレイ装置を接続する入出力装置接続手段と、レシートプリンタを接続するレシートプリンタ接続手段と、前記プリンタ接続手段を通じて得られるジャーナルデータを外部記憶装置に記憶させる電子ジャーナル装置接続手段と、前記外部記憶装置のジャーナルデータを前記キーボード装置の入力データに基づいて検索し、検索結果を前記ディスプレイ装置に出力するジャーナルデータ検索手段と、検索したジャーナルデータを前記キーボード装置の入力操作に基づいて処理し、その処理結果をＰＯＳネットワーク接続手段を通じて前記ストアコンピュータあるいはＰＯＳ装置に渡すジャーナルデータ処理手段と、を備えることを特徴とする。
【００１５】
更に、前記ＰＯＳプリンタは、レシートプリンタとディスプレイ装置とキーボード装置と外部記憶装置とを備える処理装置であることを特徴とする。
【００１６】
更に、前記プリンタ接続手段は、前記プリンタを接続する通信手順に準拠する接続手段であることを特徴とする。
【００１７】
更に、前記ＰＯＳネットワーク接続手段は、ＰＯＳ装置及びストアコンピュータを接続するＴＣＰ／ＩＰ、あるいはローカルエリアネットワークを接続する通信手順に準拠する接続手段であることを特徴とする。
【００１８】
更に、前記外部記憶装置は、ＰＣカードあるいはディスク記憶装置であることを特徴とする。
【００１９】
【発明の実施の形態】
この発明の実施の形態について図面を参照して説明する。従来のＰＯＳ装置とＰＯＳプリンタとの接続を示す図１を参照すると、ＰＯＳシステム１は、ストアコンピュータ２と、複数のＰＯＳ装置３と、ＰＯＳネットワーク４と、でなる従来システムに対して、発明のＰＯＳプリンタ７を、ＰＯＳネットワーク４のＰＯＳネットワ−ク接続インタフェース５と、ＰＯＳ装置３のプリンタ接続インタフェース６と、によってＰＯＳ装置３に接続する。
【００２０】
ＰＯＳプリンタ７の構成を示す図２を参照すると、ＰＯＳ装置３と接続するためのプリンタ接続インタフェース６に接続するプリンタ接続手段７１と、ＰＯＳネットワーク４に対するＰＯＳネットワーク接続インタフェース５のＰＯＳネットワーク接続手段７２と、入出力装置であるキーボード装置７３１及びディスプレイ装置７３２を接続する入出力装置接続手段７３と、レシートプリンタ７４１を接続するレシートプリンタ接続手段７４と、外部記憶装置７５１を接続する電子ジャーナル装置接続手段７５と、外部記憶装置７５１に記憶されたジャーナルを見読のため検索するジャーナルデータ検索手段７６と、検索したジャーナルデータを訂正・加除するジャーナルデータ処理手段７７と、内部バスであるバス７８と、を備える。
【００２１】
キーボード装置７３１及びディスプレイ装置は７３２は、外部記憶装置７５１に記憶されたジャーナルデータを見読し、訂正・加除する操作を行うためのものである。
【００２２】
レシートプリンタ７４１は、従来通りお客様に渡すレシートを印字するためのもので、紙送りのモータを制御すること、紙を切断するカッターを制御すること、紙切れを検出しアラームを発生すること、を含む。
【００２３】
外部記憶装置７５１は、ジャーナルデータを電子装置に記憶させるためのもので、ＰＣカード、あるいはディスク記憶媒体など、取り外しや交換容易で、保存に便利な電子装置を用いる。
【００２４】
プリンタ接続手段７１は、プリンタを接続するインタフェースに関わる通信手順に準拠する通信手順を実行する。
【００２５】
ＰＯＳネットワーク接続手段７２は、ＰＯＳシステム１のＰＯＳネットワーク４に接続するＬＡＮインタフェースやＴＣＰ／ＩＰに準拠する通信手順を実行する。
【００２６】
次に、この実施の形態の動作について図１及び図２を参照して説明する。まず、ＰＯＳ装置３からプリンタ接続インタフェース６を通じてプリンタ接続手段７１にコマンド（印字ポジション）及び印字データが入力される。レシートプリンタ接続手段７４はコマンド及び印字データを受け、コマンドの解析及び印字データの処理を行う。レシートプリンタ接続手段７４は、指定の印字ポジションに対して印字データを出力する。その際、レシート印字の場合は、レシートプリンタ７４１に出力する。ジャーナル印字の場合、印字データは電子ジャーナル接続手段に渡されて、外部記憶装置７５１に出力されてジャーナル記録が行われる。その際の記録形式は、ジャーナル印字形式のまま記録することも可能であり、また、１勘定分のデータを圧縮した印字データ形式として記録することも可能である。電子ジャーナル装置接続手段７５は、外部記憶装置７５１の記録媒体の容量オーバーフローを検知する機能を持ち、オーバーフローによる記録エラーを防止することができる。
【００２７】
外部記憶装置７５１のジャーナル記録は、ＰＯＳ装置３からの要求（コマンド）により、ＰＯＳネットワーク接続手段７２は、ＰＯＳネットワーク接続インタフェース５を介し、ＰＯＳ装置３やストアコンピュータ２にジャーナル記録を転送することができる。そのとき、キーボード装置７３１及びディスプレイ装置７３２により、見読（検索）、訂正・加除のジャーナルデータの処理を行うことが可能である。訂正・加除が行われた場合、該ジャーナルデータを、ＰＯＳネットワーク接続手段７２、ＰＯＳネットワーク接続インタフェース５を介し、ＰＯＳ装置３やストアコンピュータ２に転送する。
【００２８】
また、ＰＯＳプリンタ７は、キーボード装置７３１及びディスプレイ装置７３２を備えることによって、ジャーナル記録の見読（検索）、訂正・加除を行うことができる。ジャーナルデータの見読（検索）や訂正・加除は、表示装置及びキーボード操作によって実施できる。
【００２９】
ＰＯＳプリンタ７は、ＰＯＳネットワーク接続手段７２によるＬＡＮやＴＣＰ／ＩＰのインタフェースを所有しており、ＬＡＮや通信回線を介してデータの遣り取りを行うことができる。該データは、ジャーナルデータを訂正・加除したデータをストアコンピュータ２や他のＰＯＳ装置３やＰＯＳ装置３自身に転送する。
【００３０】
【発明の効果】
この発明の第１の効果は、電子ジャーナル機能に未対応の従来タイプのＰＯＳ装置に、ＰＯＳ装置のハードウェアやソフトウェア（アプリケーションやミドルウェア）を変更することなく電子ジャーナル機能を実現できることである。その理由は、従来互換のプリンタの接続インタフェースで電子ジャーナル機能を備えるＰＯＳプリンタを接続できるからである。
【００３１】
更に、他の効果は、電子ジャーナルの記録媒体をＰＣカードやディスク記憶媒体とすることで、記録媒体は着脱・交換が可能であり、記憶媒体の保存が容易になることである。また、ＰＯＳネットワーク接続インタフェースを保有することで、ジャーナルデータをＰＯＳ装置やストアコンピュータに転送することができ、同じ記憶媒体記録媒体を交換することなく、使用を続けることができる。
【００３２】
更に、他の効果は、ＰＯＳプリンタにディスプレイ装置及びキーボード装置が接続されていることにより、ＰＯＳプリンタでジャーナルデータの見読（検索）、訂正・加除ができる。更に、接続されているレシートプリンタに訂正・加除を行ったジャーナルデータを即時にレシート用紙に出力することができるため、即時訂正・加除の確認や記録が可能である。
【００３３】
更に、他の効果は、ＰＯＳネットワーク接続手段を有することにより、ジャーナルデータの訂正・加除を行った処理結果及び処理履歴を、ストアコンピュータや他のＰＯＳ装置に通知することができる。
【図面の簡単な説明】
【図１】この発明のＰＯＳ装置の接続構成を示す図である。
【図２】図１のＰＯＳプリンタの構成を示す図である。
【符号の説明】
１    ＰＯＳシステム
２    ストアコンピュータ
３    ＰＯＳ装置
４    ＰＯＳネットワーク
５    ＰＯＳネットワーク接続インタフェース
６    プリンタ接続インタフェース
７    ＰＯＳプリンタ
７１    プリンタ接続手段
７２    ＰＯＳネットワーク接続手段
７３    入出力装置接続手段
７４    レシートプリンタ接続手段
７５    電子ジャーナル装置接続手段
７６    ジャーナルデータ検索手段
７７    ジャーナルデータ処理手段
７３１    キーボード装置
７３２    ディスプレイ装置
７４１    レシートプリンタ
７５１    外部記憶装置
【図１】
0003871968.tif 000002
【図２】
0003871968.tif 000003